(57)【要約】【課題】  ３００ｎｍの増幅周波数帯域を有し、光ファイバー全体が低損耗の通信周波数帯１３００ｎｍから１６００ｎｍをカバー可能である遷移金属を含有する光ファイバー増幅器を提供する。【解決手段】  光ファイバー６０を有する。光ファイバー６０は、遷移金属イオンを含有する芯部６１と、芯部６１の外層を被覆する少なくとも一層の被覆部６２とを含む。光ファイバー増幅器は、遷移金属イオン含有の光ファイバー６０により３００ｎｍの増幅周波数帯域を有し、光ファイバー６０全体が低損耗の通信周波数帯１３００ｎｍから１６００ｎｍをカバーすることが可能である。【選択図】    図３
2006319054.tif 000002
【特許請求の範囲】
【請求項１】
光ファイバーを有し、
光ファイバーが、遷移金属イオンを含有する芯部と、芯部の外層を被覆する少なくとも一層の被覆部と、
を含むことを特徴とする遷移金属を含有する光ファイバー増幅器。
【請求項２】
被覆部は、ガラスまたはガラスとほかの材質の化合物から製作されることを特徴とする請求項１に記載の遷移金属を含有する光ファイバー増幅器。
【請求項３】
芯部は、Ｃｒ4+の単結晶または多結晶を含有する材質であることを特徴とする請求項１に記載の遷移金属を含有する光ファイバー増幅器。
【請求項４】
芯部は、Ｃｒ4+の結晶または多結晶構造を含有するガラスであることを特徴とする請求項１に記載の遷移金属を含有する光ファイバー増幅器。
【請求項５】
芯部は、Ｖ3+の単結晶または多結晶を含有する材質であることを特徴とする請求項１に記載の遷移金属を含有する光ファイバー増幅器。
【請求項６】
芯部は、Ｖ3+の単結晶または多結晶構造を含有するガラスであることを特徴とする請求項１に記載の遷移金属を含有する光ファイバー増幅器。
【請求項７】
芯部は、Ｎｉ2+の単結晶または多結晶を含有する材質であることを特徴とする請求項１に記載の遷移金属を含有する光ファイバー増幅器。
【請求項８】
芯部は、Ｎｉ2+の単結晶または多結晶構造を含有するガラスであることを特徴とする請求項１に記載の遷移金属を含有する光ファイバー増幅器。
【請求項９】
芯部は、Ｃｒ4+、Ｖ3+またはＮｉ2+のうちの少なくとも一種の単結晶または多結晶を含有する材質であることを特徴とする請求項１に記載の遷移金属を含有する光ファイバー増幅器。
【請求項１０】
芯部は、Ｃｒ4+、Ｖ3+またはＮｉ2+のうちの少なくとも一種の単結晶または多結晶構造を含有するガラスであることを特徴とする請求項１に記載の遷移金属を含有する光ファイバー増幅器。
【請求項１１】
波長範囲が０．８μｍから１．２μｍである励起光源を含むことを特徴とする請求項１に記載の遷移金属を含有する光ファイバー増幅器。
【請求項１２】
３ｄｂの増幅周波数帯域は、１．２μｍから１．６５μｍの間であることを特徴とする請求項１に記載の遷移金属を含有する光ファイバー増幅器。
【請求項１３】
励起光源の進行方向と出力される増幅信号光源の方向は、同方向また逆方向であることを特徴とする請求項１１に記載の遷移金属を含有する光ファイバー増幅器。
【請求項１４】
遷移金属を含有する光ファイバーは、一端に光連結ユニット及び他端に光隔離器を有することを特徴とする請求項１に記載の遷移金属を含有する光ファイバー増幅器。
【発明の詳細な説明】
【技術分野】
【０００１】
本発明は、光ファイバー増幅器に関し、特に、遷移金属を含有する光ファイバー増幅器に関するものである。
【背景技術】
【０００２】
現今の光ファイバー増幅器は、多様な種類があり、異なる光ファイバー通信波域に適用可能である。以下、例を挙げて説明する。
エルビウムを含有するブロードバンド光ファイバー増幅器は、二段のエルビウムを含有する光ファイバーが直列に繋がることでブロードバンド増幅器の目的を達成するものである（特許文献１参照）。第一段のエルビウムを含有する光ファイバーは、９８０ｎｍの半導体レーザーを励起光源としてＣ波域（１５３０ｎｍ−１５６０ｎｍ）の入力信号光を増幅する。第二段のエルビウムを含有する光ファイバーは、１４８０ｎｍの半導体レーザーを励起光源としてＬ波域（１５７０ｎｍ−１６００ｎｍ）の入力信号光を増幅する。
【０００３】
しかし、信号光の周波数帯のうち増幅可能なものはＣ波域とＬ波域のみであり、かつこの周波数帯域は８０ｎｍ以下で、光通信の伝送可能な総周波数帯３００ｎｍのごく一部分を占めるに過ぎないことが主な欠点である。また、二つのエルビウムを含有する光ファイバーを直列に繋げることにより波長が異なる励起レーザーを二つ使用することが必要であるため、システムのコストが高くなる。
【０００４】
ツリウムを含有するブロードバンド光ファイバー増幅器は、ホウ素ガラスを被覆部とし、かつゲルマニウムの酸化物を含有する芯部にツリウムイオンを含有するものである（特許文献２参照）。また、励起光源の下で１４００ｎｍ−１５４０ｎｍの信号光を増幅することが可能である。この増幅器の励起光源は、波長７８０ｎｍ−８００ｎｍの半導体レーザーである。
【０００５】
しかし、光ファーバーを被覆するホウ素ガラスの軟化点は約８００℃で、現有のfused  silica光ファイバーの軟化点は約１６００℃であるため、これらを溶接するにはほかの光学ユニットまたは機械構造を光連結する必要があり、かつシステムのコストが高くなることが主な欠点である。また、増幅可能な信号光の周波数帯は約１６０ｎｍで、光通信の伝送可能な総周波数帯３００ｎｍをカバーすることは不可能である。
【０００６】
プラセオジムを含有するブロードバンド光ファイバー増幅器は、fused  silicaを被覆部とし、ジルコニウムの酸化物を含有する芯部にプラセオジムイオンを含有するものである(特許文献３参照)。また、励起光源の下で１３００ｎｍの信号光を増幅することが可能である。この増幅器の励起光源の波長は、１０００ｎｍ前後である。
プラセオジムを含有する光ファイバーにより増幅可能な信号光の周波数帯は１３００ｎｍ前後で、光通信の伝送可能な総周波数帯をカバーできないことが主な欠点である。
【０００７】
【特許文献１】アメリカ合衆国特許第６，６４６，７９６号
【特許文献２】アメリカ合衆国特許第６，５１５，７９５号
【特許文献３】アメリカ合衆国特許第５，８０５，３３２号
【発明の開示】
【発明が解決しようとする課題】
【０００８】
本発明の主な目的は、３００ｎｍの増幅周波数帯域を有し、光ファイバー全体が低損耗の通信周波数帯１３００ｎｍから１６００ｎｍをカバーすることが可能である遷移金属を含有する光ファイバー増幅器を提供することにある。
【課題を解決するための手段】
【０００９】
上述の目的を達成するために、本発明による遷移金属を含有する光ファイバー増幅器は、光ファイバーが遷移金属イオンを含有する芯部と、少なくとも一層のガラス成分を含有する被覆部とを含むものである。本発明による光ファイバー増幅器は、遷移金属イオン含有光ファイバーにより３００ｎｍの増幅周波数帯域を有し、光ファイバー全体が低損耗の通信周波数帯１３００ｎｍから１６００ｎｍをカバーすることが可能である。
【発明を実施するための最良の形態】
【００１０】
以下、本発明の構造と特徴を実施例と図面に基づいて説明する。まず、図面の説明は下記の通りである。
図１は、本発明の一実施例による遷移金属を含有する光ファイバー増幅器のクロムイットリウムアルミニウムガーネット含有結晶光ファイバーがＬＨＰＧ法により成長する状態を示す模式図である。
【００１１】
図２は、本発明の一実施例による遷移金属を含有する光ファイバー増幅器の子結晶を延伸すると同時に棒状結晶を押し出す状態を示す模式図である。
図３は、本発明の一実施例による遷移金属を含有する光ファイバー増幅器の二重の被覆部を有する結晶光ファイバーの成長溶融区を示す模式図である。
【００１２】
図４は、本発明の一実施例による遷移金属を含有する光ファイバー増幅器の二重の被覆部を有する結晶光ファイバーを示す断面図である。
図５は、異なる入力信号光効率の下での本発明の一実施例による遷移金属を含有する光ファイバー増幅器の光増幅と励起効率を示すグラフを示す図である。
図６は、本発明の一実施例による遷移金属を含有する光ファイバー増幅器の異なる入力信号光波長の増幅とＡＳＥ周波数スペクトルを示すグラフを示す図である。
【００１３】
本発明の一実施例による遷移金属を含有する光ファイバー増幅器は、主に、遷移金属イオン（例えば、Ｃｒ4+イオン、Ｖ3+イオンまたはＮｉ2+イオン）含有光ファイバーを有する。本実施例では、光ファイバーは二重の被覆部を有するクロム含有結晶光ファイバーである。二重の被覆部を有するクロム含有結晶光ファイバーの成長方法は、レーザー加熱基座成長方法（laser-heated  pedestal  growth、ＬＨＰＧ）により直径６８μｍのクロムイットリウムアルミニウムガーネット（Ｃｒ4+（ＹＡＧ））含有光ファイバーを成長させ、そののち、共延伸レーザー加熱基座成長方法によりfused  silicaで二重の被覆部を形成する結晶光ファイバーを成長させることである。
【００１４】
図１に示すのは、ＬＨＰＧ法により結晶を成長させる方法と装置である。まず二酸化炭素レーザーにより連続発射されるレーザー光１１を拡大して入射させた後、１セットの円錐面鏡１２により平行光を環状光に変換し、反射鏡１３により環状光を抛物面鏡１４に反射し、焦点を原始結晶棒２０の一端に位置付ける。このとき、原始結晶棒２０はＣｒ4+（ＹＡＧ）である。図２に示すように、結晶棒２０の一端を加熱して熔融させて熔融区２１を形成する。続いて、子結晶３０を熔融区２１に接触させ、そののち、子結晶３０をゆっくり上に延伸すると同時に結晶棒２０を押し出すことで子結晶３０の結晶方向と同じ結晶光ファイバー４０を成長させることが可能である。子結晶を延伸する速度と結晶棒２０を押し出す速度との比が異なることにより、異なる直径の比を得ることが可能である。例えば、子結晶３０を延伸する速度と結晶棒２０を押し出す速度の比が１６対１である場合、成長した結晶光ファイバー４０と結晶棒の直径の比は１対４である。
【００１５】
図３に示すように、本実施例による二重の被覆部を有するクロム含有結晶光ファイバーの成長方法は、前述の成長方法により成長した直径６８μmのＣｒ4+（ＹＡＧ）結晶光ファイバー４０を内径７６μmの石英毛細管５０内に詰めた後、ＬＨＰＧ成長システム機構の下で、毛細管を下に成長させるように加熱し、本実施例の二重の被覆部を有する結晶光ファイバー６０を形成することである。この方法は、共延伸レーザー加熱基座成長方法（codrawing  laser-heated  pedestal  growth  method、ＣＤＬＨＰＧ）である。適切なＣＤＬＨＰＧ成長パラメーターによりfused-silicaで二重の被覆部を形成する結晶光ファイバーを成長させることが可能である。芯部６１、内層被覆部６２、外層被覆部６３の直径は、２５μm、１００μm、３２０μmである。その構造は、図４に示す通りである。
【００１６】
利得を測定するには、Yb-fiber  laserを励起光源ユニットとする。励起光源の波長は、１０６４ｎｍである。まず透光鏡の連結によりYb-fiber  laserを単一光ファイバーに入れ、そののち、分波複合連結器（ＷＤＭ  coupler）などの光連結ユニットによりYb-fiber  laserと波長を調整可能なレーザーの信号光源を合併して二重の被覆部を有する結晶光ファイバーに入れる。信号光の波長は、１．５２μmである。結晶光ファイバーの出力端は焦点距離１０mmの透光鏡により励起光源を収集し、１０６４ｎｍを濾過するフィルターにより吸収されていない励起光源を濾過し、続いて、異なる信号光強度の下での利得（gross  gain）を測定する。このとき、利得は、出力信号光が励起と未励起の時の倍率があり、ＡＳＥ（Amplified  Spontaneous  Emission）の信号光波長に対する役割が除かれた下で定義される。
【００１７】
実際に増幅器を使用する場合、励起光源の進行方向と出力される増幅信号光源の方向を同方向または逆方向に制御することが可能である。信号光または励起光を単一方向に伝送するか、ユニットとの間に連接するときに形成する反射光が信号光または励起光に影響することを防止するために遷移金属を含有し、かつ信号光を出力する光ファイバーまたは光連結ユニット前端の結晶光ファイバーに光隔離ユニットを配置することで、信号光を透過させることが可能である。光隔離ユニットは特に制限されていないため、光隔離ユニットとして周知のファラデー回転型アイソレーターを採用することが可能である。
【００１８】
また、図６に示すように、励起効率を１Ｗ以下に固定し、異なる入力信号光波長に対して利得を測定する。入力信号が１．４７μｍである場合、１６ｄｂの利得を得ることが可能である。測定により得られた利得とＡＳＥ周波数スペクトルを比較して推算すると、本実施例の増幅器の周波数帯域は、約２７０ｎｍである。
【００１９】
上述の実施例では、クロムイットリウムアルミニウムガーネット（Ｃｒ4+（ＹＡＧ））含有結晶光ファイバーは強い自発輻射光源を発生する特性を有し、スペクトルの範囲は光ファイバー全体の伝送上の低損耗窓口をカバーする程度であり、その３−ｄｂ周波数帯域は２７０ｎｍで、６−ｄｂ周波数帯域は４００ｎｍに達するため、光通信のＯ波域、Ｅ波域、Ｓ波域、Ｃ波域及びＬ波域を含み、従来のエルビウムを含有する光ファイバー増幅器の周波数帯域を遥かに超えることが可能である。また、吸収される周波数スペクトルは０．９μｍから１．２μｍの波長の範囲内であるため、汎用されているエルビウムを含有する光ファイバー増幅器の０．９８μｍの励起光源に対応することが可能である。
【００２０】
現今、光通信の全体波域１．３μｍ−１．６μｍをカバー可能な単一増幅器はないため、多数個の増幅器を直列に繋げることにより、周波数大域を増幅するほかない。また、高密度分波複合モジュールシステム（dense  wavelength  division  multiplex、ＤＷＤＭ）は、制限されている周波数帯域の下でチャネルを持続的に増加させても、ボトルネックを生じる。したがって、製造過程が困難になり、良品の率が低下する。本実施例による遷移金属を含有する光ファイバー増幅器は、従来のエルビウムを含有する光ファイバー増幅器と比べて増幅周波数帯域を１０倍近く増加させ、かつ一つの遷移金属含有光ファイバー増幅器ユニットにより周波数帯域全段１．３μｍ−１．６μｍを使用し、１．４μm前後の低損耗波域を含むことが可能であるため、多数個の増幅器を直列に繋げることによって波域全体を増幅するという不都合な点を改善することが可能である。また、二重の被覆部を有する結晶光ファイバーの材質は、主に、fused  silicaである。したがって、本実施例による光ファイバーは、現有の光ファイバーと直接溶接されて結合することが可能であるため、ほかの光連結ユニットを必要とするという不都合な点を解消することを可能にして、現有のシステムの代わりになり、実用価値がかなり高い。
【図面の簡単な説明】
【００２１】
【図１】本発明の一実施例による遷移金属を含有する光ファイバー増幅器のクロムイットリウムアルミニウムガーネット結晶含有光ファイバーがＬＨＰＧ法により成長する状態を示す模式図である。
【図２】本発明の一実施例による遷移金属を含有する光ファイバー増幅器の子結晶を延伸すると同時に棒状結晶を押し出す状態を示す模式図である。
【図３】本発明の一実施例による遷移金属を含有する光ファイバー増幅器の二重の被覆部を有する結晶光ファイバーの成長溶融区を示す模式図である。
【図４】本発明の一実施例による遷移金属を含有する光ファイバー増幅器の二重の被覆部を有する結晶光ファイバーを示す断面図である。
【図５】異なる入力信号光効率の下での本発明の一実施例による遷移金属を含有する光ファイバー増幅器の光増幅と励起効率を示すグラフを示す図である。
【図６】本発明の一実施例による遷移金属を含有する光ファイバー増幅器の異なる入力信号光波長の増幅とＡＳＥ周波数スペクトルを示すグラフを示す図である。
【符号の説明】
【００２２】
１１  レーザー光、１２  円錐面鏡、１３  反射鏡、１４  抛物面鏡、２０  結晶棒、２１  熔融区、３０  子結晶、４０  結晶光ファイバー、５０  石英毛細管、６０  二重の被覆部を有する結晶光ファイバー、６１  芯部、６２  内層被覆部、６３  外層被覆部
【図１】
2006319054.tif 000003
【図２】
2006319054.tif 000004
【図３】
2006319054.tif 000005
【図４】
2006319054.tif 000006
【図５】
2006319054.tif 000007
【図６】
2006319054.tif 000008